(57)【特許請求の範囲】
【請求項１】
ランプソケット取付金具に差込んで取付ける蛍光ランプソケットを備えた照明器具において、
前記ランプソケット取付金具は、一端が開口する開口凹部を有し、
この開口凹部の両側に、開口側のガイド片部と奥側の係合受部からなる支持片部がそれぞれ形成されているとともに、
これら支持片部のガイド片部を、相反する方向で、前方向に拡開するテーパ状に形成し、
前記各支持片部の係合受部がそれぞれプレス打抜きにより形成されているとともに、これら係合受部間寸法を前記両ガイド片部間寸法の最小寸法と同じとして前記両係合受部を平行となるように設け、
前記蛍光ランプソケットのソケット基部の両側には、それぞれ外方に開口し前記係合受部に差込み係合される係合凹部をそれぞれ設け、
前記蛍光ランプソケットの係合凹部を前記ランプソケット取付金具の開口凹部に差込んで、前記係合受部を前記係合凹部に喰込ませて前記ランプソケット取付金具に前記蛍光ランプソケットを固定したことを特徴とする照明器具。
【発明の詳細な説明】
【０００１】
【発明の属する技術分野】
本発明は、蛍光ランプソケットを備える照明器具に関する。
【０００２】
【従来の技術】
従来の照明器具における蛍光ランプソケットのランプソケット取付金具への取付け構造を図４および図５を参照して説明する。
【０００３】
蛍光ランプソケット１の上部には、蛍光ランプ（図示せず）の装着方向に沿って両側に外方に開口した取付溝２，２がそれぞれ形成されている。照明器具（図示せず）などに取付けられたソケット取付金具３５の下面には、前方側に開口した開口部３６を有するとともに、蛍光ランプソケット１の取付溝２，２に挿入支持される支持片部３７，３７が対向してそれぞれ形成されている。この支持片部３７，３７には、蛍光ランプソケット１の取付溝２，２の高さと等しいダボ３８，３８が下方に向けてそれぞれ突出形成されている。
【０００４】
蛍光ランプソケット１をソケット取付金具３５に取付けると、ソケット取付金具３５のダボ３８，３８が蛍光ランプソケット１の取付溝２，２の上下面に当たって保持される。
【０００５】
【発明が解決しようとする課題】
ソケット取付金具３５のダボ３８，３８を蛍光ランプソケット１の取付溝２，２の上下面に当てて保持し、蛍光ランプソケット１をソケット取付金具３５に取付ける構造では、ソケット取付金具３５のダボ３８の高さＨ１は、プレスの押出工程で形成されるためバラッキが大きい。
【０００６】
また、蛍光ランプソケット１の取付溝２の高さＨ２は、図５（Ｃ）に示すように、成型後の収縮で点線のように倒れる傾向があるためバラッキが大きい。
【０００７】
このため、蛍光ランプソケット取付時にかたかったり、反対に、ソケット取付金具のダボと蛍光ランプソケットの取付溝との間に隙間が生じ、ソケット取付金具と蛍光ランプソケットとが保持できないという問題があった。
【０００８】
本発明は上記の点に鑑みてなされたもので、ソケット取付金具に蛍光ランプソケットを常に適度な強さで取付け保持できる照明器具を提供することを課題とする。
【０００９】
【課題を解決するための手段】
前記課題を達成するために、請求項１の発明は、ランプソケット取付金具に差込んで取付ける蛍光ランプソケットを備えた照明器具において、前記ランプソケット取付金具は、一端が開口する開口凹部を有し、この開口凹部の両側に、開口側のガイド片部と奥側の係合受部からなる支持片部がそれぞれ形成されているとともに、これら支持片部のガイド片部を、相反する方向で、前方向に拡開するテーパ状に形成し、前記各支持片部の係合受部がそれぞれプレス打抜きにより形成されているとともに、これら係合受部間寸法を前記両ガイド片部間寸法の最小寸法と同じとして前記両係合受部を平行となるように設け、前記蛍光ランプソケットのソケット基部の両側には、それぞれ外方に開口し前記係合受部に差込み係合される係合凹部をそれぞれ設け、前記蛍光ランプソケットの係合凹部を前記ランプソケット取付金具の開口凹部に差込んで、前記係合受部を前記係合凹部に喰込ませて前記ランプソケット取付金具に前記蛍光ランプソケットを固定したことを特徴とするものである。
【００１０】
さらに、このランプソケット取付金具の係合受部が喰込み固定されるランプソケットの係合凹部間寸法Ｌ１は、溝高さと違い成型後の倒れやソリなどによる寸法のバラッキがない。このことから、ランプソケットをランプソケット取付金具に、常に、適度な強さで取付け保持できる。
【００１１】
【発明の実施の形態】
図１ないし図３を参照して本発明の実施の形態を説明する。
【００１２】
図３は２灯式照明器具を示す外観斜視図で、長手方向の両端には、後述するランプソケット取付金具１００に装着されて蛍光ランプソケット４９，４９がそれぞれ取付けられている。これら蛍光ランプソケット４９，４９間には、直管型蛍光ランプ９０が並列に装着され、蛍光ランプ９０の上方には、ランプ９０の光を反射させる下方に湾曲した反射笠８９が取付けられている。
【００１３】
蛍光ランプソケット４９の上方に形成されたソケット基部６６のランプ９０装着方向の両側には、それぞれ外側方向に開口した係合凹部１１０，１１０がそれぞれ形成されている。
【００１４】
１００はランプソケット取付金具で、下面には、前方側に開口した開口凹部１０５が形成され、この開口凹部１０５の両側には、蛍光ランプソケット４９の係合凹部１１０が差し込まれる平坦状の支持片部１０２がそれぞれ対向して形成されている。
【００１５】
さらに、これら支持片部１０２の開口側には、蛍光ランプソケット４９の係合凹部１１０を差込み易くするため、相反する方向で、前方側に拡開するテ−パ状のガイド片部１０７，１０７がそれぞれ形成されている。
【００１６】
これら支持片部１０２の奥側には、対向して係合受部１０３，１０３がそれぞれ形成され、これら係合受部１０３間寸法Ｌ２は、蛍光ランプソケット４９の係合凹部１１０間の寸法Ｌ１より少し狭く形成されている。また、係合受部１０３の奥行き寸法をＬ３とする。
【００１７】
なお、蛍光ランプソケット４９を熱可塑性樹脂で製作された場合の関係寸法を例示する。Ｌ２＝Ｌ１−０、４ミリ，Ｌ３＝５から１０ミリで製作されている。次に上記実施の形態の組立て手順を図１ないし図２を参照して説明する。
【００１８】
ランプソケット取付金具１００の開口側から蛍光ランプソケット４９の係合凹部１１０，１１０を支持片部１０２，１０２に向けて差し込む。最初は、外側方向に拡開したガイド片部１０７，１０７に差し込まれるのでスム−ズに挿入される。
【００１９】
さらに、蛍光ランプソケット４９を奥側に差込んでいくと、支持片部１０２，１０２の奥側に形成された係合受部１０３，１０３に蛍光ランプソケット４９の係合凹部１１０，１１０が突当ると、係合凹部１１０間寸法Ｌ１が係合受部１０３間寸法Ｌ２より少し小さく形成されているため、係合受部１０３，１０３が係合凹部１１０，１１０に喰い込み差し込まれていく。
【００２０】
また、ランプソケット取付金具１００の係合受部１０３は、プレスの打ち抜き型で製作されるので寸法のバラッキは殆どない。さらに、蛍光ランプソケット４９の係合凹部１１０間の寸法も、溝高さと違い成型後の倒れやソリなどによる寸法のバラッキが殆どない。
【００２１】
ランプソケット取付金具１００の奥部に蛍光ランプソケット４９の係合凹部１１０と喰い込む係合受部１０３を設けたので、蛍光ランプソケットをランプソケット取付金具に差込む際は、最初はスム−ズに差込まれ、最後の例えば５から１０ミリの間は、係合凹部と係合受部が喰い込むので、ソケット取付金具に蛍光ランプソケットが常に適度な強さで取付け保持できる。
【００２２】
【発明の効果】
本発明によれば、ランプソケット取付金具の開口凹部の奥側に対向した係合受部を設けたので、最初はスム−ズに差込まれ、奥側で、係合凹部と係合受部が喰い込むので、ソケット取付金具に蛍光ランプソケットを常に適度な強さで取付け保持できる。
【図面の簡単な説明】
【図１】  本発明の一実施の形態に係る照明器具の蛍光ランプソケットとランプソケット取付金具を示す分解斜視図。
【図２】同実施形態における蛍光ランプソケットをランプソケット取付金具に差込む状態を示すもので、
（Ａ）は差込み直後を示す上面図。
（Ｂ）は差込んだ状態を示す上面図。
【図３】同実施形態の照明器具を示す斜視図。
【図４】従来技術に係る蛍光ランプソケットとランプソケット取付金具を示す分解斜視図。
【図５】同従来技術に係るランプソケット取付金具と蛍光ランプソケットの溝部を示すもので、
（Ａ）はランプソケット取付金具のダボ部の断面図。
（Ｂ）は蛍光ランプソケットの溝部を示す側面図。
（Ｃ）は蛍光ランプソケットの溝部を示す正面図。
【符号の説明】
４９…蛍光ランプソケット，５０…ボディ，６６…ソケット基部，８０…カバー，８９…反射笠，９０…蛍光ランプ，１００…ランプソケット取付金具，１０２…支持片部，１０３…係合受部，１０５…開口凹部，１１０…係合凹部。
【図１】
0003948029.tif 000002
【図２】
0003948029.tif 000003
【図３】
0003948029.tif 000004
【図４】
0003948029.tif 000005
【図５】
0003948029.tif 000006